(57)【要約】【課題】従来、家庭で身長を測る道具は、大きくて場所をとる身長計だったり、子供が自分一人で使うと使いにくいものだった。【解決手段】人の身長を測る計測体を備えた身長計であって、前記計測体は直円柱体であり、身長計測時に被測定者の頭頂部に当接される測定部を備えた周壁部と、一方の端に外面部と、もう一方の端に接面部を設け、前記接面部に磁石が発生させる磁場により磁化する材料の板面上を自由に摺動し自在に係止する少なくとも１つ以上の磁石体を取り付け、磁石が発生させる磁場により磁化する材料の板面と前記磁石体の当接面を結合させて身長を測定するとき、床面に対して垂直に設置された磁石が発生させる磁場により磁化する材料の板面と前記測定部が垂直であり、前記接面部の外周縁の最下点と前記測定部が同じ高さになる構成とした。これにより、場所もとらず、大掛かりでなく、子供が自分一人で使っても計測点が分かり使いやすくなった。【選択図】  図１
2016022104.tif 000002
【特許請求の範囲】
【請求項１】
人の身長を測る計測体を備えた身長計であって、前記計測体は直円柱体であり、身長計測時に被測定者の頭頂部に接触される測定部を備えた周壁部と、一方の端に外面部と、もう一方の端に接面部を設け、前記接面部に磁石が発生させる磁場により磁化する材料の板面上を自由に摺動し自在に係止する少なくとも１つ以上の磁石体を取り付け、磁石が発生させる磁場により磁化する材料の板面と前記磁石体の当接面を結合させて身長を測定するとき、床面に対して垂直に設置された磁石が発生させる磁場により磁化する材料の板面と前記測定部が垂直であり、前記接面部の外周縁の最下点と前記測定部が同じ高さになる構成を特徴とする身長計。
【請求項２】
前記計測体において前記磁石体を取り付けた接面板部が一方の開口を塞ぎ、もう一方の開口を塞ぐ外面板部を有する筒体であることを特徴とする請求項１に記載の身長計。
【請求項３】
前記計測体において前記磁石体を取り付けた前記接面板部が一方の開口を塞ぐ筒体であることを特徴とする請求項１に記載の身長計。
【請求項４】
前記計測体において、少なくとも１つ以上の前記磁石体が前記接面板部の裏側面に取り付けられていることを特徴とする請求項２〜３に記載の身長計。
【請求項５】
前記計測体と、磁石が発生させる磁場により磁化する材料の板面に貼り付けて使用する、表面に目盛りラインと目盛り数字を表示した目盛り部材とからなることを特徴とする請求項１〜４に記載の身長計。
【請求項６】
前記測定部でない前記周壁部の少なくとも１か所が周壁より径方向外側に突起している突起部を備えていることを特徴とする請求項１〜５に記載の身長計。
【発明の詳細な説明】
【技術分野】
【０００１】
本発明は、人の身長を測る身長計に関する。            
【背景技術】
【０００２】
従来、成長期の子供のいる家庭では、ときどき子供の身長を測って、子供の成長状態を確認していた。
【０００３】
しかし、家庭で身長を測る場合、適当な測定器具が無く、三角定規などを壁に当てて測ったりしていた。
【０００４】
しかし、それは正確性に欠け、また、子供が自分一人で自分の身長を測り確認することが出来ない欠点があった。
【０００５】
また、学校などで使用する足載台の後端に目盛り付きの支柱を植設し、該支柱に頭当て部材を上下動自在に装着した身長計は高価であり、場所をとるため家庭用には不向きであった。
【０００６】
これに対する提案として、簡易身長計が有る。  
この提案では、子供が自分一人で自分の身長を測り確認することが出来て、身長計としても構造が単純で安価での製作が可能である技術が記載されている。
【先行技術文献】
【特許文献】
【０００７】
【特許文献１】実用新案出願公開昭６１−２６５０４号公報
【発明の概要】
【発明が解決しようとする課題】
【０００８】
特許文献１の技術では、
目盛りを表示したスチールプレートからなる帯尺が壁に取り付けたままで壁に違和感が出て見栄えの良いものではなかった。
【０００９】
また帯尺を取り付けて壁に傷が付いたり、使用しなくなり帯尺を外した後に跡が付いたりして、特に賃貸住宅では使いにくいものであった。
【００１０】
また、計測体の帯尺に結合させて測定値を確定する部分が直線状になっていて、被測定者が自分一人で身長を測るときに、自分では計測体が見えないので、測定値を確定する部分と目盛りの線とが平行にならないときが有り、測定結果を正確に読み取とれないことが有った。
【００１１】
また、計測体が板をT字にしたような形であり、角の多いデザインなので子供受けする形ではなかった。
【００１２】
そこで本発明の課題は、子供が一人でも簡単に使えて、手軽で、場所をとらない家庭で使う身長計を提供することにある。
【課題を解決するための手段】
【００１３】
上記課題を解決する本発明は、下記構成を有する。
【００１４】
１．人の身長を測る計測体を備えた身長計であって、前記計測体は直円柱体であり、身長計測時に被測定者の頭頂部に接触される測定部を備えた周壁部と、一方の端に外面部と、もう一方の端に接面部を設け、前記接面部に磁石が発生させる磁場により磁化する材料の板面上を自由に摺動し自在に係止する少なくとも１つ以上の磁石体を取り付け、磁石が発生させる磁場により磁化する材料の板面と前記磁石体の当接面を結合させて身長を測定するとき、床面に対して垂直に設置された磁石が発生させる磁場により磁化する材料の板面と前記測定部が垂直であり、前記接面部の外周縁の最下点と前記測定部が同じ高さになる構成を特徴とする身長計。
【００１５】
２．前記計測体において前記磁石体を取り付けた接面板部が一方の開口を塞ぎ、もう一方の開口を塞ぐ外面板部を有する中空な筒体であることを特徴とする上記１に記載の身長計。
【００１６】
３．前記計測体において前記磁石体を取り付けた前記接面板部が一方の開口を塞ぐ中空な筒体であることを特徴とする上記１に記載の身長計。
【００１７】
４．前記計測体において、少なくとも１つ以上の前記磁石体が前記接面板部の裏側面に取り付けられていることを特徴とする上記２〜３に記載の身長計。
【００１８】
５．前記計測体と、磁石が発生させる磁場により磁化する材料の板面に貼り付けて使用する、表面に目盛りラインと目盛り数字を表示した目盛り部材とからなることを特徴とする上記１〜４に記載の身長計。
【００１９】
６．前記測定部でない前記周壁部の少なくとも１か所が周壁より径方向外側に突起している突起部を備えていることを特徴とする上記１〜５に記載の身長計。
【発明の効果】
【００２０】
請求項１に示す発明によれば、
計測体が直円柱体であり、身長測定時に測定部と被測定者の身長を確定する外周縁の最下点が同じ高さである為、身長を確定する計測点が分かりやすい。
【００２１】
また、計測体が磁場により磁化する材料の板面上を軽い力で摺動し、止めたいところで手を離しても係止するので、被測定者一人でも扱いやすい。
【００２２】
計測体が円柱体で有る為、計測時に計測体の測定部が被測定者の頭頂部に線で接触するため、面で接触するものよりも正確な身長が計測可能である。
【００２３】
従来、被測定者が計測体を直線的に摺動させて最後に被測定者の頭頂部にそっと接触させることは、計測体に力を入れすぎると動きすぎてしまったりして容易なことではなかった。
【００２４】
しかし、本発明は円柱体の為、周壁部のどこでもが測定部に成りうるので磁場により磁化する材料の板面に対して計測体を平行に接面部を回転させるように摺動させながら被測定者の頭頂部に接触させることができる。
【００２５】
そのため、測定作業の微調整が楽にでき、正確な身長測定が行える。
【００２６】
また、計測体は使うときだけ取り出して使い、使わないときはしまっておけるので、場所を占領しないため部屋が広く使える。
【００２７】
また、シンプルな構造で小さい為、安価で提供できる。
【００２８】
請求項２に示す発明によれば、計測体本体が中空で軽量であるため、磁石体が小さくでき、測定時に軽い力で磁石が発生させる磁場により磁化する材料の板面上を摺動させることができる。
【００２９】
請求項３に示す発明によれば、計測体本体が中空で外面板部もなく、より軽量であるため、磁石体がより小さくでき、より軽い力で磁石が発生させる磁場により磁化する材料の板面上を摺動できるので子供一人でも楽に使用できる。
【００３０】
請求項４に示す発明によれば磁石体が計測体の内部に隠れる為見栄えが良く、また、材質的にもろい磁石が露出しない為、丈夫で長期間使用できる。
【００３１】
また、磁石体が計測体の内部に隠れる為、磁石体の形状にとらわれず磁場により磁化する材料の板面上を摺動、係止するのにより最適の磁性の強さの磁石体の選定が容易に行える。
【００３２】
請求項５に示す発明によれば、計測体を磁石が発生させる磁場により磁化する材料に貼り付けた目盛り部材上に係止させて測定値を確認するので、測定した結果を数値として確認出来る。
【００３３】
また、特に磁石が発生させる磁場により磁化する材料の板面で出来た冷蔵庫ドアに目盛り体を貼り付けて使用した場合、家族が集まる冷蔵庫が有る台所で一家団欒のコミュニケーションがとれる。
【００３４】
子供の身長を測定し、成長を確認することは親の楽しみでもあり、子供にしてみてもより身長を伸ばし、成長するために栄養面を考えて食事をしたり、運動をしたりして、健康になるという一面を持っている。
【００３５】
請求項６に示す発明によれば、計測体を使用しない場合に保管しておくときに計測体が転がりにくく保管しやすい。
【図面の簡単な説明】
【００３６】
【図１】本発明に係る身長計の一実施例を示す概略構成斜視図。
【図２】本発明に係る分解斜視図。
【図３】図２を組み立てた一実施例を示す概略構成斜視図。
【図４】磁石体の取り付け方を示す拡大概略構成斜視図。
【図５】本発明に係る分解斜視図。
【図６】図５を組み立てた一実施例を示す概略構成斜視図。
【図７】周壁部の一構成例を示す概略構成斜視図。
【図８】周壁部の一構成例を示す概略構成斜視図。
【図９】目盛り部材の一例を示す概略図。
【図１０】身長計を使用している一例を示す概略斜視図。
【発明を実施するための形態】
【００３７】
以下、本発明に係る身長計について図面に基づき説明する。
【００３８】
本発明は人の身長を測る身長計であり、具体的な実施構成としては、例えば、図１に示すように直円柱の計測体１であり、計測時に被測定者の頭頂部に接触される測定部６を備えた周壁部５と、磁石が発生させる磁場により磁化する材料の板面上を自由に摺動し自在に係止する磁石体３を取り付けた接面部２と、外面部４からなり、磁石が発生させる磁場により磁化する材料の板面との前記磁石体３の当接面８と、前記測定部６が垂直であり、身長を測定する際、前記接面部２の外周縁７の最下点と前記測定部６が同じ高さになる構成であること、を主構成とするものである。
【００３９】
以下、各構成について更に説明する。
【００４０】
計測体１は木製、樹脂製、金属製、または紙製とする。
【００４１】
計測体１の接面部２の直径は概ね１０ｍｍ〜４０ｍｍ程度、好ましくは２０ｍｍ〜３０ｍｍ程度とする。
【００４２】
計測体１の当接面８から外面部４a又は外面板部４bの長さは概ね８０ｍｍ〜２５０ｍｍ程度、好ましくは１２０ｍｍ〜２００ｍｍ程度とする。
【００４３】
接面部２に取り付ける時の磁石体３は直円柱体で外径は接面部２の外径と同じとする。
【００４４】
磁石体３を取る付け方法としては、接面部２または接面板部９に接着剤や両面粘着テープで取り付ける。
【００４５】
磁石体３の磁性の強さは計測体１が、磁石が発生させる磁場により磁化する材料の板面上を自由に摺動し自在に係止させることを容易に行うことが出来るように計測体の重量に応じて適宜選択する。
【００４６】
前記計測体１は図２、図３に示すように外面板部４bと接面板部９と磁石体３を取り付けた筒体でもいい。
【００４７】
外面板部４b,接面板部９、は計測体１に接着剤で取り付けてもいいし、計測体１と一体成型してもいい。
【００４８】
また、磁石体３の取り付け方として、図４に示すように接面部２または接面板部９に磁石体３より多少大きい凹ませ部１９を備え、磁石体３を凹ませ部１９に接着剤や両面粘着テープで取り付けてもいいし、磁石体３を接面板部９に埋め込む構成としてもよい。
【００４９】
磁石体３を凹ませ部１９に取り付ける時や接面板部９に埋め込む時は十分に磁力が伝わるような深さに取り付けたり、埋め込むようにする。
【００５０】
前記計測体１は接面板部９に磁石体３を取り付けた、一方開放の筒体としてもいい。
【００５１】
また前記測定体１が一方の開口を塞ぐ接面板部９を有する筒体で有る場合は図５、図６で示すように磁石体３を接面板部９の裏側に取り付ける構成としてもよい。
【００５２】
それらの方法で磁石体３を取り付ける時は磁石体３の大きさは筒体の板厚等を考慮して適宜選択する。
【００５３】
磁石体３を接面板部９の裏側に取り付ける時の接面板部９は十分に磁力が伝わる程度の板厚にする。
【００５４】
図７は計測体１の測定部６でない周壁部５の一か所が周壁より径方向外側に突起した突起部Aを備えた構成である。
【００５５】
図８は計測体１の測定部６でない周壁部５の一部が周壁より径方向外側に突起した突起部Bを備えた構成である。
【００５６】
図９は目盛り部材１０であり、目盛り板１８、目盛りライン１１、目盛り数字１２を備えた構成である。
【００５７】
目盛りラインは１ミリセンチ間隔とし、１センチごとに太くし、１０センチごとにより太くする。
【００５８】
目盛り数字は１センチごとに表示し、１０センチごとに大きく表示する。
【００５９】
目盛り部材１０はゴム製、樹脂製、もしくは紙製とする。
【００６０】
目盛り部材は幅が概ね３０mm〜１５０mm程度、好ましくは４０mm〜１２０mm程度で、長さが概ね１８００mm〜２０００mm程度とする。
【００６１】
目盛り部材１０の長さは例えば小学生を対象にして１０００ｍｍ〜１６００ｍｍとしたり、中学生を対象として１２００ｍｍ〜１８００mmとしたり、およそ必要な長さのパターンを複数用意してもいい。
そのような時は、定規などを使って目盛り部材の高さを合わせて取り付ける。
【００６２】
また、目盛り部材１０は、各家庭の冷蔵庫のドアに貼り付けて使用する場合、冷蔵庫のドアの高さ、長さがいろいろであるので、それに合わせて、はさみ等で適当な長さに切れるようにしてもいい。その時、目盛り部材は定規などを使って高さを合わせて取り付ける。
【００６３】
また目盛り部材１０の目盛りライン１１や目盛り数字１２はデザイン性を考慮して、減らしたり、表示しなくてもいい。
【００６４】
目盛り部材１０は磁石が発生させる磁場により磁化する材料の板面に接着材で取り付けてもいい。
【００６５】
また目盛り部材１０は、磁石が発生させる磁場により磁化する材料の板面の適正な位置に取り付けられなかった時に一度外して再度取り付けすることが容易に出来るように粘着性が適度に弱い両面粘着テープで取り付けてもいい。
【００６６】
目盛り部材１０の目盛り数字１２目盛りライン１１は計測体１の摺動により摩耗し見えにくくなるため、滑性のある透明な素材でコーティングしてもいい。
【００６７】
計測体が、磁石が発生させる磁場により磁化する材料の板面上を容易に摺動させるため、磁石体３の当接面８や磁石体３を裏面に取り付けた接面板部９は、滑性材料等で被膜してもいい。
【００６８】
図１０は被測定者２０が冷蔵庫ドア１４に目盛り部材１０を取り付けて身長計を使用している例の斜視図である。
【００６９】
以上の構成を有する本発明の使用方法について説明する。
【００７０】
まず、被測定者は、垂直にたつ磁石が発生させる磁場により磁化する材料の板面の直前に直立し、計測体１の磁石体３の当接面８または磁石体３が内側に備えられた接面板部９の当接面８を、磁石が発生させる磁場により磁化する材料の板面上を摺動させながら被測定者の頭頂部に接触したところで係止させ、計測体１の外周縁７の最下点である計測点で被測定者の身長を確認する。
【００７１】
計測点に相当するところにペン等で印を付けたり、シール等で目印をつけたりしてもいいし、磁石が発生させる磁場により磁化する材料の板面に目盛り部材１０を貼り付けて使用した場合は計測値を控えておいてもいい。
【００７２】
以上の操作は被測定者以外の者が行ってもいいし、
計測体１を被測定者が自分で動かして、計測結果も自分で確認してもいい。
【００７３】
被測定者が自分で計測結果を確認する場合は、被測定者は計測体１が頭頂部に接触した時点で計測体１が係止したまま動かないように頭を下げて移動して計測結果を確認するとよい。
【００７４】
使用しないときは、計測体１は外してしまっておけばいい。
【符号の説明】
【００７５】
１    計測体
２    接面部
３    磁石体
４a   外面部
４b   外面板部
５    周壁部
６    測定部
７    外周縁
８    当接面
９    接面板部
１０  目盛り部材
１１  目盛りライン
１２  目盛り数字
１３  冷蔵庫
１４  冷蔵庫ドア
１５  両面粘着テープ
１６  突起部A
１７  突起部B
１８  目盛り板
１９  凹ませ部
２０  被測定者
【図１】
2016022104.tif 000003
【図２】
2016022104.tif 000004
【図３】
2016022104.tif 000005
【図４】
2016022104.tif 000006
【図５】
2016022104.tif 000007
【図６】
2016022104.tif 000008
【図７】
2016022104.tif 000009
【図８】
2016022104.tif 000010
【図１０】
2016022104.tif 000011
【図９】
2016022104.tif 000012